(57)【特許請求の範囲】
【請求項１】
採光窓の開口枠体は一定高さを有する周壁部の上端部に内側に向かって水平に突設している上面枠部と、この上面枠部の内側端部から突設して採光材の下方に配設した採光板の周縁部を支持する支持片と、上記周壁部の下端から内側に向かって水平に突設した結露水受け枠部とからなり、この開口枠体の上記上面枠部にパッキン材を介して上記採光材の水平周縁部を載置すると共に、開口枠体の周壁部の周囲に上辺部と該上辺部の外端から下方に向かって直角に連設した側面部とからなる断面逆Ｌ字状のフレーム材を配設し、このフレーム材の上辺部の下面をパッキン材を介して上記採光材の水平周縁部上面に圧着することによりこの採光材の水平周縁部を上記両パッキン材で挟着させると共に上記フレーム材の側面部を開口枠体の上記周壁部に固定してなる採光窓において、上記採光材の水平周縁部の少なくとも互いに平行な二辺部の外側端部を下方に略垂直に屈折、垂下させて下端が上記下側のパッキン材から下方に達する10mm以上の垂下長さを有する垂下部に形成し、この垂下部を開口枠体の上記周壁部とフレーム材の側面部との間に介在させてあり、さらに、上記開口枠体の結露水受け枠部を上記支持片を有する上面枠部よりも幅広く形成していると共に該結露水受け枠部の下面の内側に固定用脚片を、外側に水切り枠部を夫々垂設し、この水切り枠部から外側の結露水受け枠部の端部に水抜き孔を穿設していることを特徴とする採光窓における採光材の取付構造。
【発明の詳細な説明】
【０００１】
【発明の属する技術分野】
本発明は、建物の屋根等に取り付けられる採光窓の構造、詳しくは、採光材が負圧によって上方に抜け出すのを防止し得る採光窓における採光材の取付構造に関するものである。
【０００２】
【従来の技術】
従来より、建物の屋内への採光性を向上させるために屋根などに設けられた採光窓は、雨水の浸入を防ぐために採光材の周縁部をパッキン材に圧着させて固定する方法が取られている。即ち、採光窓の開口枠体の上面にパッキン材を装着し、このパッキン材上に採光材の周縁部を載せると共に該採光材の周縁部を上側から押さえつけて水密性を確保した構造としている。
【０００３】
このような、採光材の固定方法としては、例えば、採光窓の開口枠体の上面にパッキン材を配設し、このパッキン材上に採光材の周縁部を載置させた状態でボルトを該採光材の周縁部上面から開口枠体の下面に螺通させることにより固定した構造が知られている。
【０００４】
【発明が解決しようとする課題】
上記の採光材固定構造によれば、採光材の周縁部と開口枠体とを上方からボルト止めして採光材を開口枠体に固定した構造であるので、採光材が温度変化により伸縮した場合、ボルトによる採光材の取付部に集中荷重が働いて採光材にヒビ割れが生じる虞れがあった。
【０００５】
このため、本願出願人等は、特開平９−９６０６０号公報に記載したように、上下パッキン材によって挟着された採光材の周縁部をボルトにより固定することなく、フレーム材の側面部を開口枠体の周壁部にボルト止めによって固定した採光材の固定構造を開発したが、この構造によれば、風等によって屋外側に負圧が発生すると、採光材がフレーム材の上面板を上方に押し拡げながら浮き上がって該採光材の周縁部が上下パッキン材による挟持部から抜け出てしまうという問題点があった。特に、幅よりも長さが著しく長い長尺の採光窓においては、採光材の長辺側の縁部が上記負圧によって抜け易いという問題点があった。
【０００６】
本発明はこのような問題点に鑑みてなされたものであり、その目的とするところは、ボルトによることなく単に上下パッキン材を介して挟着された採光材の取付構造において、負圧の発生による上記のような抜け出しを防止し得る採光窓における採光材の取付構造を提供するにある。
【０００７】
【課題を解決するための手段】
上記目的を達成するために、本発明の採光窓における採光材の取付構造は、請求項１に記載したように、採光窓の開口枠体は一定高さを有する周壁部の上端部に内側に向かって水平に突設している上面枠部と、この上面枠部の内側端部から突設して採光材の下方に配設した採光板の周縁部を支持する支持片と、上記周壁部の下端から内側に向かって水平に突設した結露水受け枠部とからなり、この開口枠体の上記上面枠部にパッキン材を介して上記採光材の水平周縁部を載置すると共に、開口枠体の周壁部の周囲に上辺部と該上辺部の外端から下方に向かって直角に連設した側面部とからなる断面逆Ｌ字状のフレーム材を配設し、このフレーム材の上辺部の下面をパッキン材を介して上記採光材の水平周縁部上面に圧着することによりこの採光材の水平周縁部を上記両パッキン材で挟着させると共に上記フレーム材の側面部を開口枠体の上記周壁部に固定してなる採光窓において、上記採光材の水平周縁部の少なくとも互いに平行な二辺部の外側端部を下方に略垂直に屈折、垂下させて下端が上記下側のパッキン材から下方に達する10mm以上の垂下長さを有する垂下部に形成し、この垂下部を開口枠体の上記周壁部とフレーム材の側面部との間に介在させてあり、さらに、上記開口枠体の結露水受け枠部を上記支持片を有する上面枠部よりも幅広く形成していると共に該結露水受け枠部の下面の内側に固定用脚片を、外側に水切り枠部を夫々垂設し、この水切り枠部から外側の結露水受け枠部の端部に水抜き孔を穿設している構造としている。
【０００８】
【作用】
風圧等によって屋外側が負圧となって屋内側との気圧差が大きくなると、採光材が浮き上がってパッキン材を介して押さえているフレーム材の上辺部を上方に押し上げ、開口枠体の上面枠部上に取付けている下側のパッキン材との間に隙間が生じてこの隙間を通じて採光材の水平周縁部が抜け出ようとするが、該水平周縁部の外側端部を下方に略垂直に屈折、垂下させて下端が上記下側のパッキン材から下方に達する10mm以上の垂下長さを有する垂下部に形成し、この垂下部を開口枠体の上記周壁部とフレーム材の側面部との間に介在させているので、この垂下部が開口枠体の周壁部に係合して採光材が開口枠体から抜け出るのを阻止される。屋外側と屋内側との圧力差が小さくなると、採光材が自重によって下がり、その水平周縁部を上下パッキン材に挟着させた元の状態に復帰する。
【０００９】
【発明の実施の形態】
本発明の具体的な実施の形態を実施例を示す図面に基づいて説明すると、図１及び図２において、採光窓の開口枠体１は、アルミニウム製の型枠材を四方に配して平面正方形又は幅よりも長さが大なる長尺長方形状に形成してなるもので、一定高さを有する垂直な周壁部11と、この周壁部11の上端部から内側に向かって水平に突設している一定幅を有する上面枠部12と、この上面枠部12の内側端部に段状に突設している採光板支持片13と、上記周壁部11の下端部から内側に向かって水平に突設した結露水受け枠部14と、この結露水受け枠部14の内側端と幅方向の中央部との下面に下方に向かって垂設した固定用脚片15、16と、結露水受け枠部14の外側端部の下面に下方に向かって垂設した水切り枠部17とからなるものである。
【００１０】
さらに、上記開口枠体１における結露水受け枠部14は、上記採光板支持片13の内端下方から一定幅、内側に位置する上面に突片14a を一体に設けてあり、この突片14a と上記周壁部11との間の結露水受け枠部14上を結露水受け溝18に形成していると共に上記水切り枠部17から外側に位置する該結露水受け枠部14の外端部に水抜き孔19を穿設している。
【００１１】
このように形成した開口枠体１は、建物の屋根等に設けられた開口部に配設されてその固定用脚片15、16を建物側の鉄筋20にサッシアンカ等の固定金具21を介して取付けられてあり、また、水切り枠部17と上記外側の固定用脚片15との間に水切り板金22の上端ハゼ折れ部を介在させて該水切り板金22により建物側の上記鉄筋20の屋外側面を被覆させている。23は水切り板金22の内面に一体に装着している不燃性ボードからなる断熱材であり、24は水切り枠部17の下端と水入り板金22の上端部との間に施工したコーキング材である。
【００１２】
２はステンレス等の金属製板材よりなるフレーム材で、一定幅と長さを有する水平な上辺部2aの外端に下方に向かって直角に屈折した一定高さの側面部2bを一体に設けて断面逆Ｌ字状に形成してなるもので、その上辺部2aの下面に一定幅と肉厚を有するパッキン材３を全長に亘って装着していると共に、側面部2bの下端部内面に、該側面部2bの長さ方向に所望間隔毎に内方に向けて開口した断面コ字形の係止片４を溶接やビス等により一体的に固着してあり、この係止片４の下部片4bの内端部を上部片4aよりも内側に突出させると共に上方に屈折させて上記開口枠体１の周壁部11の突出下端部11a に係止させる係止突片部4cに形成している。
【００１３】
このように形成しているフレーム材２は、開口枠体１の周壁部11の互いに平行な２辺に沿ってそれぞれ配設され、周壁部11の上面枠部12上にパッキン材５を介してドーム型の採光材６の水平周辺部6aを載置したのち、該水平周辺部6a上にフレーム材２のパッキン材３を当接させ、このパッキン材３と上記パッキン材５とにより採光材６の水平周辺部6aを挟着させた状態で周壁部11に固着されている。
【００１４】
上記フレーム材２を開口枠体１の周壁部11に固着するには、まず、該フレーム材２の下端部内面における同一水平線上に適宜間隔毎に固着している上記複数個の係止片４の係止突片部4cを周壁部11の突出下端部11a に引っ掛けて係止させ、次いで、その係止部を支点としてフレーム材２を上方に回動させて側面部2bを垂直状態に起立させると共に上辺部2aを水平状態にし、パッキン３を採光材６の水平周縁部6a上に密接させる。この状態にすると、係止片４の上部片4aの内端が周壁部11の外面に当接してフレーム材２がそれ以上の回動を阻止されると共にこの係止片４によってフレーム材２の側面部2bと開口枠体１の周壁部11との間に一定幅の隙間７が形成され、さらに、フレーム材２の側面部2bによって開口枠体１の周壁部11が被覆された状態となる。
【００１５】
フレーム材２の側面部2bの下部には長さ方向に適宜間隔毎にビス挿通孔2cが穿設されてあり、上記のようにフレーム材２を開口枠体１の周壁部11の外側に配設してその上辺部2aの下面に装着したパッキン材３と開口枠体１の上面枠部12上のパッキン材５とで採光材６の水平周縁部6aを挟着させた状態にしたのち、このビス挿通孔2cにタッピングビス８を挿入して周壁部11を螺子切りしながら該周壁部11に螺合させることにより、フレーム材２を周壁部11に固定している。なお、フレーム材２を周壁部11に固定するのに、ビス以外のボルト、リベット等でもよい。
【００１６】
上記ドーム型の採光材６はその水平周縁部6aの外側端部を下方に略垂直に屈折して垂下部6bに形成してあり、この垂下部6bを上記フレーム材２の側面部2bと開口枠体１の周壁部11との間の隙間７に挿入状態で介在させている。垂下部6bの内外面はフレーム材２の側面部2bと開口枠体１の周壁部11とに対して10mm以下の若干の間隙を存して配設されているが、互いに密着させておいてもよい。
【００１７】
さらに、採光材６の水平周縁部6aに対するこの垂下部6bの折り曲げ角度は80度以下では上記隙間７内に対する収まりが悪くなり、100 度以上では負圧により採光材６が浮き上がった際に上下パッキン材３、５間から抜け易くなるので、80〜100 度の角度範囲に形成されている。また、この垂下部6bの垂下長さは10mm以上にしてその下端が上記下側のパッキン材５から下方に達する長さを有し、実施例では25mmの垂下長に形成されている。なお、このような垂下部6bは、採光材６の水平周縁部6aの少なくとも互いに平行する２辺に設けておけばよい。
【００１８】
上記開口枠体１の平面形状が長尺の長方形状に形成されている場合には、この開口枠体１に装着される長尺のドーム型採光材６として、その断面形状を図１に示したように、該採光材６の長さ方向に交互に凹条部6cと凸条部6dとが交互に連続形成してなる折板構造の採光材を用いることが好ましい。この凹条部6cと凸条部6dとは採光材６の全幅に亘って設けられてあり、従って、採光材６の水平周縁部6aにおける互いに平行な長辺側においては、その凹条部6cの下面が下側パッキン材５の上面に密接し、凸条部6dの上面が上側パッキン材３の下面に密接してドーム形状に湾曲した採光材６の全ての凹条部6cの両側端部が上下パッキン材３に挟着された凹条部の溝を通じて開口枠１の長辺側の周壁部11とフレーム材２の側面部2bとの間の隙間７に連通している。９は上記ドーム型の採光材６の下方に配設した網入り板ガラスよりなる採光板で、その四方周縁部を開口枠体１の採光板支持片13上に支持させている。
【００１９】
このように構成したので、ドーム型採光材６はその水平周縁部6aを開口枠体１の上面枠部12上のパッキン材５とフレーム材２の上辺部下面のパッキン材３とによって全周に亘り、均等な挟持力でもって支持されていると共に該水平周縁部6aはビス止めされていないので、採光材６が熱伸縮しても水平周縁部6aが上下パッキン材３、５の挟持面に対して摺動して伸縮応力を吸収し、ヒビ割れ等が生じる虞れはない。
【００２０】
また、風圧等によって屋外側が負圧となって屋内側との気圧差が大きくなった場合、ドーム型採光材６が上側パッキン材３を装着しているフレーム材２の上辺部2aを上方に押し上げて浮き上がり、開口枠体１の上面枠部12上に取付けている下側のパッキン材５と採光材６の水平周縁部6aとの間に隙間が生じて該隙間から水平周縁部6aが抜け出ようとするが、該水平周縁部6aの外端部に下方に略直角に屈折してなる垂下部6bが開口枠体１の周壁部11に引っ掛かって係止し、採光材６の周縁部が上下パッキン材３、５間から抜け出るのを阻止されるものである。
【００２１】
採光材６に上記のような浮き上がりが生じると、フレーム材２の上辺部2aは、開口枠体１の周壁部11の下端部にビス止めされた該フレーム材２の側面部2bの下端部を支点として斜め外側に回動する方向に上方に押し上げられると共にその押し上げ力に抗した反力が作用するので、採光材６に大きな負圧、例えば、上記長尺の採光窓に用いた採光材に約400kg/m2の負圧が作用してもその最大浮き上がり寸法を10mm以下に抑制することができるものであり、そして、上記垂下部6bの垂下長さが10mm以上の寸法に形成しているので、採光材６が大きく浮き上がっても該垂下部6bが常に開口枠体１の周壁部11とフレーム材２の側面部2bとの間の隙間７に介在して該隙間７から離脱することはなく、採光材６の周縁部が上下パッキン材３、５から抜け出るのを防止することができる。
【００２２】
また、降雨時には、雨水がドーム型採光材６の凸状湾曲表面を伝って水平周縁部6a上に流下し、採光材６が折板構造の場合には該水平周縁部6aの凹条部6c内を通じて上下パッキン材３、５間を通過したのち、垂下部6bを伝って開口枠体１の周壁部11とフレーム材２の側面部2bとの隙間７の間隔を保持している係止片４、４間を通じて屋根面側に流出し、雨水の滞留による採光材６の汚損をなくして外観を常に美しく保つことができるものである。なお、採光材６が折板構造でない場合には、上側のパッキン材３を部分的に切除しておけば、その切除部を通じて上記同様に屋根面側に流出させることができる。
【００２３】
一方、ドーム型採光材６の下方に配設した採光板９の下面に屋内側と屋外側との温度差によって結露水が生じた場合、該採光板９の周辺部から開口枠体１の結露水受け枠部14上の受け溝18内に滴下し、さらに、この受け溝18の外端部に穿設している水抜き孔19から屋外側に排出されるものである。なお、本発明の採光窓における採光材の取付構造は、上述したように長尺型の折板採光窓に採用した場合に特にその効果が顕著であるが、正方形型の採光窓へ適用しても同様な作用効果を奏することができる。
【００２４】
【発明の効果】
以上のように本発明の採光窓における採光材の取付構造によれば、採光材の水平周縁部の少なくとも互いに平行な二辺部の外側端部を下方に略垂直に屈折、垂下させてこの垂下部を開口枠体の周壁部とフレーム材の側面部との間に介在させると共に上記水平周縁部を開口枠体の上面枠部上に装着したパッキン材とフレーム材の上辺部の下面に装着したパッキン材間に挟着させているので、これらの上下パッキン材によって採光材の水平周縁部を全周に亘り、均等な挟持力でもって支持することができると共に該水平周縁部はビス止めされていないので、採光材が熱伸縮してもその伸縮度に応じて水平周縁部が上下パッキン材間で摺動して伸縮応力を吸収し、ヒビ割れ等が生じる虞れはないのは勿論、開口枠体の上記周壁部とフレーム材の側面部との間に介在させている採光材の上記水平周縁部の外側端部を、その下端が上記下側のパッキン材から下方に達する10mm以上の垂下長さを有する垂下部に形成しているので、屋外側に負圧が発生して採光材が浮き上がっても、この垂下部が開口枠体の周壁部に係合して採光材が開口枠体から抜け出るのを確実に阻止することができる。
【００２５】
さらに、本発明によれば、上記開口枠体の周縁部の下端に、内側に向かって結露水受け枠部を水平に突設し、この結露水受け枠部の突出幅を開口枠体の上面枠部の内側端部から突設した採光板支持片よりも幅広く形成しているので、採光板に生じた結露水を該結露水受け枠部上で確実に受けることができるものであり、その上、結露水受け枠部の下面の外側に垂設している水切り枠部から外側に位置する該結露水受け枠部の端部に水抜き孔を穿設しているので、結露水受け枠部上の結露水を水抜き孔を通じて屋外面側に排出させることができる。
【図面の簡単な説明】
【図１】採光窓における採光材の取付構造の一実施例を示す要部の縦断正面図、
【図２】採光窓全体の簡略縦断正面図。
【符号の説明】
１  開口枠体
２  フレーム材
2a  上辺部
2b  側面部
３  パッキン材
４  係止片
５  パッキン材
６  採光材
6a  水平周縁部
6b  垂下部
７  隙間
11  周壁部
12  上面枠部
14  結露水受け枠部
19  水抜き孔
【図１】
0003625019.tif 000002
【図２】
0003625019.tif 000003